【手続補正書】
【提出日】平成29年7月21日(2017.7.21)
【手続補正１】
【補正対象書類名】特許請求の範囲
【補正対象項目名】全文
【補正方法】変更
【補正の内容】
【特許請求の範囲】
【請求項１】
ビームフォーミング技法を使用して通信するように構成された複数のデバイスを有するワイヤレスネットワークにおいて、前記ワイヤレスネットワークの第１のデバイスから前記ワイヤレスネットワークの複数の第２のデバイスにトリガパケットを送ることと、ここにおいて、前記トリガパケットが、トリガデータに基づいてチャネル測定を実行することを前記複数の第２のデバイスに行わせるように構成された前記トリガデータを含む、
前記トリガパケットに応答して前記複数の第２のデバイスの各々からフィードバック情報を受信することとを備える方法。
【請求項２】
前記第１のデバイスが、前記第２のデバイスのうちの１つまたは複数にビームフォーミングされたデータを送るように構成されたアクセスポイント（ＡＰ）を備える、請求項１に記載の方法。
【請求項３】
前記第２のデバイスのうちの少なくとも１つが、前記第１のデバイスからビームフォーミングされたデータを受信するように構成された移動局を備える、請求項１に記載の方法。
【請求項４】
前記フィードバック情報が、前記フィードバック情報のために個々の第２のデバイスをポーリングすることなしに、前記複数の第２のデバイスの各々から受信される、請求項１に記載の方法。
【請求項５】
ワイヤレスネットワークの第２のデバイスにおいて、前記ワイヤレスネットワークの第１のデバイスからトリガパケットを受信することと、ここにおいて、前記ワイヤレスネットワークは、ビームフォーミング技法を使用して通信するように構成された複数のデバイスを含む、
前記トリガパケットを受信することに応答して、チャネル測定を実行することと、ここにおいて、前記チャネル測定は、前記トリガパケットに含まれるトリガデータに基づいて実行される、
前記第１のデバイスにフィードバック報告を送ることと、ここにおいて、前記フィードバック報告は、前記チャネル測定に基づくフィードバック情報を含む、
を備える方法。
【請求項６】
前記第１のデバイスが、前記第２のデバイスのうちの１つまたは複数にビームフォーミングされたデータを送るように構成されたアクセスポイント（ＡＰ）を備える、請求項５に記載の方法。
【請求項７】
前記第２のデバイスのうちの少なくとも１つが、前記第１のデバイスからビームフォーミングされたデータを受信するように構成された移動局を備える、請求項５に記載の方法。
【請求項８】
請求項１乃至７のうちのいずれか一項に記載の方法を実行するための命令を備える、コンピュータプログラム。
【請求項９】
ワイヤレスネットワークの第２のデバイスにおいて、前記ワイヤレスネットワークの第１のデバイスからトリガパケットを受信するための手段と、ここにおいて、前記ワイヤレスネットワークは、ビームフォーミング技法を使用して通信するように構成された複数のデバイスを含む、
前記トリガパケットを受信することに応答して、チャネル測定を実行するための手段と、ここにおいて、前記チャネル測定は、前記トリガパケットに含まれるトリガデータに基づいて実行される、
前記第１のデバイスにフィードバック報告を送るための手段と、ここにおいて、前記フィードバック報告は、前記チャネル測定に基づくフィードバック情報を含む、
を備える装置。
【請求項１０】
前記第１のデバイスが、前記第２のデバイスのうちの１つまたは複数にビームフォーミングされたデータを送るように構成されたアクセスポイント（ＡＰ）を備える、請求項９に記載の装置。
【請求項１１】
前記第２のデバイスのうちの少なくとも１つが、前記第１のデバイスからビームフォーミングされたデータを受信するように構成された移動局を備える、請求項９に記載の装置。
【請求項１２】
ワイヤレスネットワークの複数の第２のデバイスに前記ワイヤレスネットワークの第１のデバイスからトリガパケットを送るための手段と、前記ワイヤレスネットワークは、ビームフォーミング技法を使用して通信するように構成された前記複数の第２のデバイスを有し、ここにおいて、前記トリガパケットは、トリガデータに基づいてチャネル測定を実行することを前記複数の第２のデバイスに行わせるように構成された前記トリガデータを含む、
前記トリガパケットに応答して、前記複数の第２のデバイスの各々からフィードバック情報を受信するための手段と
を備える、装置。
【請求項１３】
前記第１のデバイスが、前記第２のデバイスのうちの１つまたは複数にビームフォーミングされたデータを送るように構成されたアクセスポイント（ＡＰ）を備える、請求項１２に記載の方法。
【請求項１４】
前記第２のデバイスのうちの少なくとも１つが、前記第１のデバイスからビームフォーミングされたデータを受信するように構成された移動局を備える、請求項１２に記載の方法。
【請求項１５】
前記フィードバック情報が、前記フィードバック情報のために個々の第２のデバイスをポーリングすることなしに、前記複数の第２のデバイスの各々から受信される、請求項１２に記載の方法。
【手続補正２】
【補正対象書類名】明細書
【補正対象項目名】００６４
【補正方法】変更
【補正の内容】
【００６４】
[0069]開示した実施形態の上記の説明は、開示した実施形態を当業者が作成または使用することができるように行ったものである。これらの実施形態への様々な変更は当業者には容易に明らかになり、本明細書で定義した原理は本開示の範囲から逸脱することなく他の実施形態に適用され得る。したがって、本開示は、本明細書に示した実施形態に限定されるものではなく、以下の特許請求の範囲によって定義される原理および新規の特徴に一致する可能な最も広い範囲を与えられるべきである。
以下に、本願の出願当初の特許請求の範囲に記載された発明を付記する。
［Ｃ１］
ビームフォーミング技法を使用して通信するように構成された複数のデバイスを有するワイヤレスネットワークにおいて、前記ワイヤレスネットワークの第１のデバイスから前記ワイヤレスネットワークの複数の第２のデバイスにトリガパケットを送ることと、ここにおいて、前記トリガパケットが、トリガデータに基づいてチャネル測定を実行することを前記複数の第２のデバイスに行わせるように構成された前記トリガデータを含む、
前記トリガパケットに応答して前記複数の第２のデバイスの各々からフィードバック情報を受信することとを備える方法。
［Ｃ２］
前記第１のデバイスが、前記第２のデバイスのうちの１つまたは複数にビームフォーミングされたデータを送るように構成されたアクセスポイント（ＡＰ）を備える、Ｃ１に記載の方法。
［Ｃ３］
前記第２のデバイスのうちの少なくとも１つが、前記第１のデバイスからビームフォーミングされたデータを受信するように構成された移動局を備える、Ｃ１に記載の方法。
［Ｃ４］
前記フィードバック情報が、前記フィードバック情報のために個々の第２のデバイスをポーリングすることなしに、前記複数の第２のデバイスの各々から受信される、Ｃ１に記載の方法。
［Ｃ５］
前記トリガデータが少なくとも１つの非プリコードロングトレーニングフィールド（ＬＴＦ）を含む、Ｃ１に記載の方法。
［Ｃ６］
前記少なくとも１つの非プリコードＬＴＦが前記トリガパケットの末尾に付加される、Ｃ５に記載の方法。
［Ｃ７］
前記少なくとも１つの非プリコードＬＴＦが前記パケットのデータ部分に続く、Ｃ５に記載の方法。
［Ｃ８］
前記トリガパケットがマルチユーザ多入力多出力（ＭＵ−ＭＩＭＯ）パケットを備える、Ｃ１に記載の方法。
［Ｃ９］
前記トリガパケットが高効率ｗｉ−ｆｉ（ＨＥＷ）ＭＵ−ＭＩＭＯパケットを備える、Ｃ８に記載の方法。
［Ｃ１０］
前記トリガパケットが送信可（ＣＴＸ）パケットを備える、Ｃ１に記載の方法。
［Ｃ１１］
前記トリガパケットがビーコンフレームを備える、Ｃ１に記載の方法。
［Ｃ１２］
前記トリガパケットのプリアンブルは、前記トリガデータが前記トリガパケット中に含まれることを示す、Ｃ１に記載の方法。
［Ｃ１３］
前記トリガパケットが、少なくとも１つの第２のデバイスを識別するか、前記トリガパケットのソースとして前記第１のデバイスを識別するか、またはその両方である、Ｃ１に記載の方法。
［Ｃ１４］
前記複数の第２のデバイスに少なくとも１つのマルチユーザ多入力多出力（ＭＵ−ＭＩＭＯ）パケットを送ることをさらに備える、Ｃ１に記載の方法。
［Ｃ１５］
前記少なくとも１つのＭＵ−ＭＩＭＯパケットが特定の第２のデバイスのためのデータを含み、ここにおいて、前記特定の第２のデバイスのための前記データが、前記特定の第２のデバイスから受信された前記フィードバック情報に基づいてプリコーディングされる、Ｃ１４に記載の方法。
［Ｃ１６］
前記ワイヤレスネットワークが、電気電子技術者協会（ＩＥＥＥ）８０２．１１高効率ｗｉ−ｆｉ（ＨＥＷ）規格に従って動作する、Ｃ１に記載の方法。
［Ｃ１７］
プロセッサによって実行されたとき、
ワイヤレスネットワークの第２のデバイスにおいて、前記ワイヤレスネットワークの第１のデバイスからトリガパケットを受信することと、ここにおいて、前記ワイヤレスネットワークが、ビームフォーミング技法を使用して通信するように構成された複数のデバイスを含む、
前記トリガパケットを受信したことに応答してチャネル測定を実行することと、ここにおいて、前記チャネル測定が、前記トリガパケット中に含まれるトリガデータに基づいて実行される、
前記第１のデバイスにフィードバック報告を送ることと、ここにおいて、前記フィードバック報告が、前記チャネル測定に基づくフィードバック情報を含む、を備える動作を実行することを前記プロセッサに行わせる命令を記憶するコンピュータ可読記憶デバイス。
［Ｃ１８］
前記フィードバック報告が、前記第２のデバイスへのビームフォーミングされた送信のためのデータをプリコーディングするために使用可能であるフィードバック情報を含む、Ｃ１７に記載のコンピュータ可読記憶デバイス。
［Ｃ１９］
前記動作は、前記第２のデバイスのためのデータが前記第１のデバイスによって送られるべきであることを前記トリガパケットが示すと決定したことに応答して前記フィードバック報告を送ることをさらに備える、Ｃ１７に記載のコンピュータ可読記憶デバイス。
［Ｃ２０］
前記動作は、前記フィードバック情報が、前記第１のデバイスに送られた前のフィードバック報告中に含まれる前のフィードバック情報に関して少なくともしきい値量だけ変化したと決定したことに応答して前記フィードバック報告を送ることをさらに備える、Ｃ１７に記載のコンピュータ可読記憶デバイス。
［Ｃ２１］
前記フィードバック情報が、前記第１のデバイスに送られた前のフィードバック報告中に含まれる前のフィードバック情報に関するデルタ情報を備える、Ｃ１７に記載のコンピュータ可読記憶デバイス。
［Ｃ２２］
前記フィードバック報告が肯定応答（ＡＣＫ）パケット中に含まれる、Ｃ１７に記載のコンピュータ可読記憶デバイス。
［Ｃ２３］
前記フィードバック報告が、少なくとも１つの追加のデバイスからの少なくとも１つの追加のフィードバック報告を含むマルチユーザ多入力多出力（ＭＵ−ＭＩＭＯ）パケット中に含まれる、Ｃ１７に記載のコンピュータ可読記憶デバイス。
［Ｃ２４］
前記フィードバック報告が、少なくとも１つの追加のデバイスからの少なくとも１つの追加のフィードバック報告を含む直交周波数分割多元接続（ＯＦＤＭＡ）パケット中に含まれる、Ｃ１７に記載のコンピュータ可読記憶デバイス。
［Ｃ２５］
前記フィードバック報告が省電力（ＰＳ）ポールフレーム中に含まれる、Ｃ１７に記載のコンピュータ可読記憶デバイス。
［Ｃ２６］
前記ワイヤレスネットワークが、電気電子技術者協会（ＩＥＥＥ）８０２．１１高効率ｗｉ−ｆｉ（ＨＥＷ）規格に従って動作する、Ｃ１７に記載のコンピュータ可読記憶デバイス。
［Ｃ２７］
プロセッサと、
前記プロセッサによって実行されたとき、ビームフォーミング技法を使用して通信するように構成された複数のデバイスを有するワイヤレスネットワークを介して、前記ワイヤレスネットワークの第１のデバイスから前記ワイヤレスネットワークの第２のデバイスにパケットを送ることを備える動作を実行することを前記プロセッサに行わせる命令を記憶するメモリとを備え、
ここにおいて、前記パケットが、前記パケットのデータ部分に続く少なくとも１つのロングトレーニングフィールド（ＬＴＦ）を含む、装置。
［Ｃ２８］
前記動作が、フィードバック情報のために個々の第２のデバイスをポーリングすることなしに、複数の第２のデバイスから前記フィードバック情報を受信することをさらに備える、Ｃ２７に記載の装置。
［Ｃ２９］
ビームフォーミング技法を使用して通信するように構成された複数のデバイスを有するワイヤレスネットワークの第２のデバイスにおいて肯定応答（ＡＣＫ）パケットを生成するための手段と、ここにおいて、前記ＡＣＫパケットが、前記第２のデバイスへのビームフォーミングされた送信のためのデータをプリコーディングするために使用可能であるフィードバック情報を含む、
前記第２のデバイスから前記ワイヤレスネットワークの第１のデバイスに前記ＡＣＫパケットを送るための手段とを備える装置。
［Ｃ３０］
前記フィードバック情報が、前記第２のデバイスにおいて実行されるチャネル測定に基づく、Ｃ２９に記載の装置。